(57)【要約】【課題】  本発明は、ダストバッグの取替え周期が延長でき、真空掃除機の集塵効率を向上させることができるように改善されたアップライト型真空掃除機を提供する。【解決手段】  本発明に係るアップライト型真空掃除機は、吸気口と排気口が形成された集塵室と、排気口と連結される吸込モータ駆動室を備える真空掃除機本体と、真空掃除機本体に結合された吸込ブラシと、吸込ブラシと集塵室との間の流路に着脱自在に設けられたサイクロン集塵装置と、集塵室に着脱自在に設けられ吸込ブラシを介して吸込まれる空気中に含まれた塵埃及びゴミを分離して回収するダストバッグとを備える。【選択図】      図２
2005013709.tif 000002
【特許請求の範囲】
【請求項１】
吸気口と排気口が形成された集塵室と、前記排気口と連結される吸込モータ駆動室を備える真空掃除機本体と、
前記真空掃除機本体に結合され、被掃除面と当接され被掃除面にある塵埃やゴミなどが含まれた外部空気を吸込む吸込ブラシと、
前記吸込ブラシと前記集塵室との間の流路に着脱自在に装着され、前記吸込ブラシから吸込まれる外部空気から塵埃やゴミなどを取り除くサイクロン集塵装置と、
該サイクロン集塵装置と前記吸込ブラシとを連結して前記吸込ブラシから吸込まれる外部空気が前記サイクロン集塵装置に吸込まれるようにする流路形成部材とを含むことを特徴とするアップライト型真空掃除機。
【請求項２】
前記サイクロン集塵装置は、
前記流路形成部材と連結されるサイクロン吸気口と、前記集塵室の吸気口と連結されるサイクロン排気口とを有し、前記サイクロン吸気口に吸込まれるゴミを含んでいる空気を渦巻き気流へ誘導するサイクロンボディと、
前記サイクロンボディに着脱自在に結合され、前記吸込まれた空気の渦巻き気流によって遠心分離されるゴミを回収するダストカップとを含むことを特徴とする請求項１に記載のアップライト型真空掃除機。
【請求項３】
前記サイクロン集塵装置は、
前記ダストカップ内に配されるよう前記サイクロン排気口に連結され、前記サイクロン排気口を介して空気と共にゴミが逆流されることを防止するための複数の微細通過孔を有するゴミ分離用グリルをさらに含むことを特徴とする請求項２に記載のアップライト型真空掃除機。
【請求項４】
前記真空掃除機本体の背面には、前記サイクロンボディが装着される第１の安着溝と前記ダストカップが装着される第２の安着溝が形成されていることを特徴とする請求項２に記載のアップライト型真空掃除機。
【請求項５】
前記サイクロンボディは、
一端が前記集塵室の吸気口と連結され、その他端が前記サイクロン排気口と連結されるダクトと、
前記サイクロン集塵装置を前記真空掃除機の本体に着脱自在に結合する着脱ユニットとを含むことを特徴とする請求項２に記載のアップライト型真空掃除機。
【請求項６】
前記ダクトは、
前記サイクロン排気口と連結される第１の連結部と、前記吸気口と連結される第２の連結部との間が折曲形成されることを特徴とする請求項５に記載のアップライト型真空掃除機。
【請求項７】
前記着脱ユニットは、
前記第１の安着溝に形成された結合突起と、
前記ダクト内に形成され、前記結合突起と対応される位置に備えられた結合溝とを含むことを特徴とする請求項５に記載のアップライト型真空掃除機。
【請求項８】
前記流路形成部材は、フレキシブルホースであることを特徴とする請求項１に記載のアップライト型真空掃除機。
【請求項９】
吸気口と排気口が形成された集塵室と、前記排気口と連結される吸込モータ駆動室を備えた真空掃除機本体と、
前記真空掃除機本体に結合され、被掃除面と当接され被掃除面にある塵埃やゴミなどが含まれた外部空気を吸込む吸込ブラシと、 
前記真空掃除機本体の背面に着脱自在に装着され、前記吸込ブラシから吸込まれる外部空気を渦巻き気流へ誘導するサイクロンボディと、
前記サイクロンボディに着脱自在に結合されるダストカップ及びゴミ分離用グリルを含むサイクロン集塵装置と、
前記サイクロン集塵装置と前記吸込ブラシとを連結して前記吸込ブラシから吸込まれた外部空気が前記サイクロン集塵装置に吸込まれるようにするフレキシブルホースとを含み、
前記サイクロン集塵装置で前記吸込ブラシから吸込まれる外部空気に含まれた塵埃やゴミなどを１次分離し、前記真空掃除機本体の集塵室で２次分離するよう、前記サイクロン集塵装置を装着して使ったり前記サイクロン集塵装置を取り除いて前記フレキシブルホースを真空掃除機本体に直接連結して使用できることを特徴とするアップライト型真空掃除機。
【請求項１０】
前記真空掃除機本体の背面には、前記サイクロンボディが装着される第１の安着溝と前記ダストカップが装着される第２の安着溝が形成されていることを特徴とする請求項９に記載のアップライト型真空掃除機。
【請求項１１】
前記サイクロンボディは、
一端が前記集塵室の吸気口と連結されるダクトと、
前記サイクロン集塵装置を前記真空掃除機本体に着脱自在に結合する着脱ユニットとを含むことを特徴とする請求項９に記載のアップライト型真空掃除機。
【請求項１２】
前記ダクトは、
前記サイクロン排気口と連結される第１の連結部と、前記吸気口と連結される第２の連結部との間が折曲形成されることを特徴とする請求項１１に記載のアップライト型真空掃除機。
【請求項１３】
前記着脱ユニットは、
前記第１の安着溝に形成された結合突起と、
前記ダクト内に形成され、前記結合突起と対応される位置に備えられた結合溝とを含むことを特徴とする請求項１１に記載のアップライト型真空掃除機。
【発明の詳細な説明】
【技術分野】
【０００１】
本発明は真空掃除機に関し、さらに詳しくは、ダストバックを含む集塵室と、吸込ブラシとの間の流路にサイクロン集塵装置が着脱自在に結合されるアップライト型真空掃除機に関する。
【背景技術】
【０００２】
一般に真空掃除機は、真空掃除機本体の下部に被掃除面に沿って移動可能に設けられた吸込ブラシを備える。前記真空掃除機の本体内は、集塵室とモータ駆動室とから区画される。前記集塵室にはダストバッグが着脱自在に設けられており、前記モータ駆動室にはモータが設けられる。
【０００３】
前記構成からモータが駆動されれば、吸込ブラシは強力な吸込力を発生し、該吸込力によって吸込ブラシの被掃除面に存する塵埃及び種々のゴミが含まれている空気が真空掃除機本体へ吸込まれる。吸込まれた空気は、真空掃除機本体の集塵室に設けられたダストバッグを介して排出される。この際、空気の中に含まれたゴミはダストバッグで回収され、残り吸込空気はモータ駆動室を介して外部に排出される。
【０００４】
ところが、前述したような構成を持つアップライト型真空掃除機は、ダストバッグだけを用いて塵埃及びゴミを回収する構造になっているため、消耗品であるダストバッグをしきりに取り替えなければならないという不具合がある。従って、ダストバッグの使用周期を延長して集塵効率を向上させ得るアップライト型真空掃除機が求められている。
【発明の開示】
【発明が解決しようとする課題】
【０００５】
本発明は、前述した点を勘案して案出されたもので、ダストバッグの取替え周期が延長でき、真空掃除機の集塵効率を向上させることができるようその構造が改善されたアップライト型真空掃除機を提供することにある。
【課題を解決するための手段】
【０００６】
前記目的を達成するための本発明に係るアップライト型真空掃除機は、吸気口と排気口が形成された集塵室と、前記排気口と連結される吸込モータ駆動室を備えた真空掃除機本体と、前記真空掃除機本体に結合され、被掃除面と当接され被掃除面にある塵埃やゴミなどが含まれた外部空気を吸込む吸込ブラシと、前記吸込ブラシと前記集塵室との間の流路に着脱自在に装着され、前記吸込ブラシから吸込まれる外部空気から塵埃やゴミなどを取り除くサイクロン集塵装置と、該サイクロン集塵装置と前記吸込ブラシとを連結して前記吸込ブラシから吸込まれた外部空気が前記サイクロン集塵装置に吸込まれるようにする流路形成部材とを含む。
【０００７】
本発明の好適な実施例によれば、前記サイクロン集塵装置は、前記流路形成部材と連結されるサイクロン吸気口と、前記集塵室の吸気口と連結されるサイクロン排気口とを有し、前記サイクロン吸気口に吸込まれるゴミを含んだ空気を渦巻き気流へ誘導するサイクロンボディと、前記サイクロンボディに着脱自在に結合され、前記吸込まれた空気の渦巻き気流によって遠心分離されるゴミを回収するダストカップとを含むことが好ましい。
【０００８】
そして前記サイクロン集塵装置は、前記ダストカップ内に配されるよう前記サイクロン排気口に連結され、前記サイクロン排気口を介して空気と共にゴミが逆流されることを防止するための複数の微細通過孔を有するゴミ分離用グリルをさらに含むことができる。
【０００９】
また、前記真空掃除機本体の背面には、前記サイクロンボディが装着される第１の安着溝と前記ダストカップが装着される第２の安着溝が形成されることが好ましい。
【００１０】
さらに前記サイクロンボディは、一端が前記集塵室の吸気口と連結され、その他端が前記サイクロン排気口と連結されるダクトと、前記サイクロン集塵装置を前記真空掃除機本体に着脱自在に結合する着脱ユニットとを含むことが好ましい。
【００１１】
この際、前記ダクトは、前記サイクロン排気口と連結される第１の連結部と、前記吸気口と連結される第２の連結部との間が折曲形成される。
【００１２】
また、前記着脱ユニットは、前記第１の安着溝に形成された結合突起と、前記ダクト内に形成され、前記結合突起と対応される位置に備えられた結合溝とを含むことが好ましい。そして、前記流路形成部材は、フレキシブルホースで備えられ得る。
【００１３】
一方、本発明の一実施例によるアップライト型真空掃除機は、吸気口と排気口が形成された集塵室と、前記排気口と連結される吸込モータ駆動室を備えた真空掃除機本体と、前記真空掃除機本体に結合され、被掃除面と当接され被掃除面にある塵埃やゴミなどが含まれた外部空気を吸込む吸込ブラシと、前記真空掃除機本体の背面に着脱自在に装着され、前記吸込ブラシから吸込まれる外部空気を渦巻き気流へ誘導するサイクロンボディと、前記サイクロンボディに着脱自在に結合されるダストカップ及びゴミ分離用グリルを含むサイクロン集塵装置と、前記サイクロン集塵装置と前記吸込ブラシとを連結して前記吸込ブラシから吸込まれた外部空気が前記サイクロン集塵装置に吸込まれるようにするフレキシブルホースとを含み、前記サイクロン集塵装置で前記吸込ブラシから吸込まれる外部空気に含まれた塵埃やゴミなどを１次分離し、前記真空掃除機本体の集塵室で２次分離するよう、前記サイクロン集塵装置を装着して使ったり、前記サイクロン集塵装置を取り除いて前記フレキシブルホースを真空掃除機本体に直接連結して使用できることを特徴とする。
【００１４】
この際、前記真空掃除機本体の背面には、前記サイクロンボディが装着される第１の安着溝と前記ダストカップが装着される第２の安着溝が形成されることが好ましい。
【００１５】
そして、前記サイクロンボディは、一端が前記集塵室の吸気口と連結されるダクトと、前記サイクロン集塵装置を前記真空掃除機の本体に着脱自在に結合する着脱ユニットとを含み、この際に前記ダクトは、前記サイクロン排気口と連結される第１の連結部と、前記吸気口と連結される第２の連結部との間が折曲形成される。
【００１６】
また、前記着脱ユニットは、前記第１の安着溝に形成される結合突起と、前記ダクト内に形成され、前記結合突起と対応される位置に備えられた結合溝とを含む。
【発明の効果】
【００１７】
前述した本発明に係るアップライト型真空掃除機によれば、小型サイクロン集塵装置によって１次的にゴミの回収及び分離が可能であるため、ダストバッグの取替え周期が延長でき、集塵効率の高いサイクロン方式の集塵装置とダストバッグを同時に使用するため塵埃の吸込容量が増加されユーザの便利を図ることができる。
【発明を実施するための最良の形態】
【００１８】
以下、添付した図面に基づき本発明の好ましい実施形態を具体的に説明する。
【実施例１】
【００１９】
図１及び図２を参照すると、本発明の実施例に係るアップライト型真空掃除機は、集塵室１１とモータ駆動室１３とを有する真空掃除機本体１０と、真空掃除機本体１０に着脱自在に設けられる吸込ブラシ１５と、吸込ブラシ１５を介して吸込まれる空気の中に含まれた塵埃及びゴミを分離して回収するダストバッグ１２と、真空掃除機本体１０の背面に着脱自在に設けられるサイクロン集塵装置１７とを備える。
【００２０】
ここで、集塵室１１では、吸込ブラシ１５と連結される所定の空気吸入管に繋がる吸気口１１ａと、モータ駆動室１３に繋がる排気口１１ｂが設けられる。また、吸気口１１ａは集塵室内の上側に、排気口１１ｂは集塵室１１の底面に形成されることが好ましい。
【００２１】
サイクロン集塵装置１７は、吸込ブラシ１５を介して吸込まれる空気中に含まれている塵埃及びゴミを遠心分離して回収するためのものである。このようなサイクロン集塵装置１７は、サイクロンボディ２０とサイクロンボディ２０に着脱自在に結合されるダストカップ３０とを備える。
【００２２】
サイクロンボディ２０は、図３に示されている通り、上部ボディ２１と上部ボディ２１にネジなどで結合される下部ボディ２３とを備える。上部ボディ２１にはダクト４０が結合され、被掃除面でゴミが含まれた空気を吸込む吸込ブラシ１５と、後述する流路形成部材５０によって連結されるサイクロン吸気口２５が形成される。ダクト４０は、一端が吸気口１１ａと連結されており、その他端がサイクロン集塵装置１７に形成されたサイクロン排気口２４と連結されている。
【００２３】
かかる構成を有するサイクロンボディ２０は、サイクロン吸気口２５に吸込まれるゴミを含んでいる空気を渦巻き気流へ誘導する。ダストカップ３０は、前述したように吸込まれた空気の渦巻き気流によって遠心分離されるゴミを回収する。
【００２４】
さらに、サイクロンボディ２０内にはダストカップ３０に収容されるようゴミ分離用グリル２７がさらに設けられる。このゴミ分離用グリル２７は、サイクロン排気口２４を介して空気と共にゴミが逆流されることを妨げるよう、ダストカップ３０の一定部分まで下方に延びた筒状を有する。そして、その周りには複数の微細通過孔２７ａが形成される。また、ゴミ分離用グリル２７は、サイクロン排気口２４とサイクロン吸気口２５が直接連通されることを防止する役割を果たす。
【００２５】
一方、サイクロンボディ２０は前述したように、一端が吸気口１１ａと繋がっており、その他端がサイクロン排気口２４と連結されるダクト４０が設けられる。ここでダクト４０には、サイクロン集塵装置１７を前記真空掃除機本体に着脱自在に結合する着脱ユニット６０が備えられる。
【００２６】
この際、ダクト４０は図３及び図４に図示されているように、サイクロン排気口２４と連結される第１の連結部４１と、吸気口１１ａと連結される第２の連結部４２との間が折曲状であることが好ましい。第１及び第２の連結部４１、４２が折曲状の流路に沿って連結されているため、激しい圧力変化による騒音を減らすことのできる利点を持つ。
【００２７】
一方、真空掃除機本体１０の背壁面には、ダクト４０が結合されたサイクロン集塵装置１７を結合するための安着溝６１が備えられる。安着溝６１は、前記サイクロンボディが装着される第１の安着溝６１ａとダストカップ３０が装着される第２の安着溝６１ｂとを含む。
【００２８】
よって、サイクロン集塵装置１７を真空掃除機本体１０に着脱自在に結合する着脱ユニット６０は、第１の安着溝及び第２の安着溝６１ａ、６１ｂと、第１の安着溝６１ａに設けられた結合突起６２及びダクト４０内に形成され結合突起６２と対応される位置へ備えられた結合溝６３から形成される。結合突起６２及び結合溝６３の設置位置は相補的に備えられ得る。
【００２９】
図３及び図４に示されたように、真空掃除機本体１０の背面に形成され、サイクロン集塵装置１７に結合されたダクト４０と対応される第１の安着溝６１ａに突出形成された結合突起６２をダクト４０内に形成された結合溝６３に嵌め合せる簡単な動作で、ユーザはサイクロン集塵装置１７を設置することができ、逆に真空掃除機本体１０からサイクロン集塵装置１７を取り除くことがきできる。この時、第１の安着溝及び第２の安着溝６１ａ、６１ｂは、サイクロン集塵装置１７に結合されたダクト４０及びダストカップ３０の外部形状と対応して備えられているため、サイクロン集塵装置１７は真空掃除機本体１０に密着される。
【００３０】
前記構成を有する本発明の実施例に係るアップライト型真空掃除機の動作を説明すれば次の通りである。
【００３１】
電源が印加されれば、モータ駆動室１３のモータから吸込力が発生される。この吸込力によって吸込ブラシ１５の被掃除面に沿ってゴミ及び塵埃を含む空気がサイクロン吸気口２５を介してサイクロンボディ２０内に吸込まれる。吸込まれた空気は、サイクロンボディ２０とダストカップ３０によって渦巻き気流へ誘導されつつダストカップ３０の底面に下降する。この際、ダストカップ３０内での渦巻き気流によって空気の中に含まれた塵埃及びゴミが遠心分離されて回収される。
【００３２】
次いで、ダストカップ３０内での渦巻き気流は、底面で反転上昇する。反転上昇された渦巻き気流はゴミ分離用グリル２７の微細通過孔２７ａとその中心孔を介してサイクロン排気口２４に誘導される。ここで、ダストカップ３０の中心における軽い空気はゴミ分離用グリル２７の中心孔を介して直接排出され、微細塵埃が含まれた重たい空気はダストカップ３０の外周に沿って反転上昇する。それから、外周に沿って反転上昇する重たい空気に含まれた塵埃及びゴミは、微細通過孔２７ａによって逆流されず落下し、空気だけが排出される。
【００３３】
一方、サイクロン排気口２４を介して排出された空気は、サイクロン集塵装置１７に結合されたダクト４０を介して集塵室１１に設けられた吸気口１１ａの方に誘導され、サイクロン集塵装置１７から濾過できない空気はダストバッグ１２によって２次的に濾過される。ダストバッグ１２によって濾過された空気は、集塵室１１の排気口１１ｂを介してモータ駆動室１３へ誘導されてから外部に排出される。
【００３４】
従って、サイクロン集塵装置１７とダストバッグ１２によって塵埃及びゴミが２次的に濾過されることにより集塵効率が向上される。また、サイクロン集塵装置１７によって１次的にゴミが濾過されるため消耗部品であるダストバッグ１２の使用寿命を延ばすという利点がある。
【実施例２】
【００３５】
サイクロン集塵装置１７は、吸込ブラシ１５と流路形成部材５０によって連結される。流路形成部材５０は、一端が吸込ブラシ１５と連結されており、その他端がサイクロン吸気口２５と連結されるフレキシブルホースで備えられる。この場合、サイクロン集塵装置１７が真空掃除機本体から取除かれた場合、サイクロン吸気口２５と連結された一端が真空掃除機本体１０の集塵室１１の方に直接連結され得る。
【００３６】
加えて説明すると、ユーザの選択に応じてサイクロン集塵装置１７は着脱自在であるが、これはサイクロン集塵装置１７を真空掃除機本体１０で整備あるいは他の理由で除去される時に流路形成部材５０のサイクロン吸気口２５と連結された部分を集塵室１１と直接連結させるためである。
【実施例３】
【００３７】
サイクロン集塵装置１７は、吸込ブラシ１５とフレキシブルホースを使う流路形成部材５０によって連結される。隙間の掃除あるいは高いところの塵埃を掃除する場合、図６に示されるように、流路形成部材５０を吸込ブラシ１５から離脱させ、補助ブラシ７０を連結して掃除作業を行なうことができる。
【００３８】
以上、添付図面を参照しながら本発明に係る好適な実施形態について説明したが、本発明はかかる例に限定されない。当業者であれば、特許請求の範囲に記載された技術的思想の範疇内において各種の変更例又は修正例に想到し得ることは明らかであり、それらについても当然に本発明の技術的思想に属するものと了解される。
【産業上の利用可能性】
【００３９】
本発明に係るアップライト型真空掃除機は室内掃除に使われるものであり、サイクロン方式によって１次的にゴミを回収し、掃除機本体に備えられた集塵によって２次的にゴミを回収できる。よって掃除機本体の集塵室に設けられるフィルタの掃除周期を延長することができるためユーザが便利に使いこなすことができる。
【図面の簡単な説明】
【００４０】
【図１】本発明に係るアップライト型真空掃除機の斜視図である。
【図２】本発明に係るアップライト型真空掃除機の背面斜視図である。
【図３】図２の要部拡大図であり、ダクトを有するサイクロン集塵装置と真空掃除機本体の分解斜視図である。
【図４】本発明に係るダクトを有するサイクロン集塵装置を示す斜視図である。
【図５】本発明に係るアップライト型真空掃除機の背面斜視図であって、フレキシブルホースの一端が直接真空掃除機の集塵室に連結された状態を示す斜視図である。
【図６】本発明に係るアップライト型真空掃除機の背面斜視図であって、フレキシブルホースの終端に補助ブラシが連結された状態を示す斜視図である。
【符号の説明】
【００４１】
１０    真空掃除機本体
１１    集塵室
１１ａ  吸気口
１１ｂ  排気口
１２    ダストバッグ
１３    モータ駆動室
１５    吸込ブラシ
１７    サイクロン集塵装置
２０    サイクロンボディ
２１    上部ボディ
２３    下部ボディ
２４    サイクロン排気口
２５    サイクロン吸気口
２７    ゴミ分離用グリル
２７ａ  微細通過孔
２４    サイクロン排気口
２５    サイクロン吸気口
３０    ダストカップ
４０    ダクト
４１、４２  第１及び第２の連結部
５０    流路形成部材
６０    着脱ユニット
６１    安着溝
６１ａ、６１ｂ  第1及び第２の安着溝
６２    結合突起
６３    結合溝
７０    補助ブラシ
【図１】
2005013709.tif 000003
【図２】
2005013709.tif 000004
【図３】
2005013709.tif 000005
【図４】
2005013709.tif 000006
【図５】
2005013709.tif 000007
【図６】
2005013709.tif 000008